(57)【要約】      （修正有）【課題】  装置本体が被写体方向に直交する方向に９０度又は略９０度回転された状態での撮影によって得られた画像を表示手段により表示する際の表示領域の空き領域を有効利用する。【解決手段】ＣＣＤ２４による撮像によって取得された画像情報により示される画像を当該画像の上下方向をデジタルカメラ１０の上下方向に一致させると共に欠けることなくＬＣＤ３８によって連続的に表示するとき、次に表示する画像を示す画像情報及びその次に表示する画像を示す画像情報の２つの画像情報が、デジタルカメラ１０が被写体方向に直交する方向に９０度又は略９０度回転された状態での撮影（縦撮り）によってＣＣＤ２４により取得されたものである場合、当該２つの画像情報によって示される２つの画像を、各画像の長手方向がＬＣＤ３８の短手方向に一致し、かつ当該表示領域の長手方向に並べた状態で表示するようにＬＣＤ３８を制御する。【選択図】        図２
2005318278.tif 000002
【特許請求の範囲】
【請求項１】
表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設された撮影装置であって、
前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御する制御手段
を備えたことを特徴とする撮影装置。
【請求項２】
前記表示手段の表示領域のアスペクト比を１６：９とし、
前記撮像手段により取得される画像情報によって示される画像のアスペクト比を４：３又は１６：９とした
請求項１記載の撮影装置。
【請求項３】
表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設された撮影装置の画像再生方法であって、
前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御する
ことを特徴とする撮影装置の画像再生方法。
【請求項４】
前記表示手段の表示領域のアスペクト比を１６：９とし、
前記撮像手段により取得される画像情報によって示される画像のアスペクト比を４：３又は１６：９とした
請求項３記載の撮影装置の画像再生方法。
【発明の詳細な説明】
【技術分野】
【０００１】
本発明は、撮影装置及び撮影装置の画像再生方法に関し、特に、撮影画像再生用の液晶ディスプレイ装置等の表示手段と、ＣＣＤ（電荷結合素子）等の撮像手段を備えた撮影装置及び当該撮影装置の画像再生方法に関する。
【背景技術】
【０００２】
近年、デジタルカメラの普及には目を見張るものがあり、年間出荷台数も銀塩カメラを上回るほどになっている。
【０００３】
ところで、従来のデジタルカメラでは、通常、ＣＣＤ、ＣＭＯＳイメージ・センサ等の撮像素子による撮像画像（被写体像）のアスペクト比は４：３とされている。これは、従来のテレビジョン受像機や、デジタルカメラに被写体像のモニター用として設けられている液晶ディスプレイ等の表示装置における表示領域のアスペクト比が４：３であることに対応したものである。
【０００４】
その一方で、近年、表示領域のアスペクト比が１６：９（所謂ワイドサイズ）とされたテレビジョン受像機の普及が進んでおり、デジタルカメラに設けられている表示装置についても、表示領域がワイドサイズとされたものの適用が進むものと予想される。
【０００５】
この場合、撮像素子として撮像画像のアスペクト比が４：３であるものが用いられたデジタルカメラによって撮影された被写体像を、アスペクト比を４：３としたまま被写体像モニター用のワイドサイズの表示装置により表示する際には、表示領域の一部に空き領域が生じることとなる。
【０００６】
従来、表示領域の当該空き領域を有効利用するために適用し得る技術として、次に示すものがあった。
【０００７】
まず、アスペクト比が１６：９のワイド表示パネルにアスペクト比が４：３のノーマル受信映像を表示させることによって生じる非表示エリアに、受信映像とは別の情報を表示することによって主画像以外のエリアの有効活用を可能とする技術があった（例えば、特許文献１参照。）。
【０００８】
また、磁気テープに記録した映像を表示させる際に当該記録映像と表示パネルのアスペクト比が異なる場合に生じる無表示部分を利用して、複数の静止画像又は動画像を表示領域が重複しないように割り当てることによって表示パネルを有効活用する技術があった（例えば、特許文献２参照。）。
【特許文献１】特開２００３−４６８９３公報
【特許文献２】特開平８−４６９４６号公報
【発明の開示】
【発明が解決しようとする課題】
【０００９】
ところで、アスペクト比が１６：９や４：３である横長の表示領域を有する表示装置を搭載したデジタルカメラにおいて、当該デジタルカメラを被写体方向に直交する方向に立てた状態での撮影（所謂縦撮り）により得られた画像を、当該画像の上下方向をデジタルカメラの上下方向に一致させると共に欠けることなく上記表示装置により表示する場合、当該表示装置の表示領域には当該表示領域の半分以上の大きな空き領域が生じることになる。
【００１０】
しかしながら、上述した従来の表示領域の空き領域を有効利用するために適用し得る技術では、カメラにより縦撮りによって得られた画像を表示する場合に生じる空き領域については考慮されておらず、この場合に必ずしも空き領域を有効に活用できるとは言えない、という問題点があった。
【００１１】
なお、この問題点は、表示領域が縦長の状態で配設された表示装置と、撮影機能を有する携帯電話機において、当該携帯電話機を被写体方向に直交する方向に寝かせた状態での撮影により得られた画像を、当該画像の上下方向を携帯電話機の上下方向に一致させると共に欠けることなく上記表示装置により表示する場合にも生じる問題点である。
【００１２】
本発明は上記問題点を解決するためになされたものであり、装置本体が被写体方向に直交する方向に９０度又は略９０度回転された状態での撮影によって得られた画像を表示手段により表示する際の表示領域の空き領域を有効利用することができる撮影装置及び撮影装置の画像再生方法を提供することを目的とする。
【課題を解決するための手段】
【００１３】
上記目的を達成するために、請求項１記載の撮影装置は、表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設された撮影装置であって、前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御する制御手段を備えたことを特徴としている。
【００１４】
請求項１に記載の撮影装置は、表示領域のアスペクト比が１：１とは異なる表示手段と、撮像によってアスペクト比が１：１とは異なる画像を示す画像情報を取得する撮像手段と、が前記表示領域の長手方向と前記画像の長手方向とが一致するように配設されている。なお、上記表示手段には、液晶ディスプレイ、プラズマ・ディスプレイ、有機ＥＬディスプレイ、ＣＲＴディスプレイ等のディスプレイが含まれる。また、上記撮像手段には、ＣＣＤ（電荷結合素子）、ＣＭＯＳイメージ・センサ等の固体撮像素子が含まれる。
【００１５】
ここで、本発明では、制御手段により、前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影（撮影装置がデジタルカメラである場合の縦撮り）によって前記撮像手段により取得されたものである場合、当該２つの画像情報によって示される２つの画像が、各画像の長手方向が前記表示領域の短手方向に一致され、かつ当該表示領域の長手方向に並べられた状態で表示されるように前記表示手段が制御される。
【００１６】
このように、請求項１に記載の撮影装置によれば、表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設されており、前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御しているので、表示領域の空き領域を有効利用することができる。
【００１７】
なお、本発明は、請求項２に記載の発明のように、前記表示手段の表示領域のアスペクト比を１６：９とし、前記撮像手段により取得される画像情報によって示される画像のアスペクト比を４：３又は１６：９とすることが好ましい。これによって、現在主流となりつつある表示領域及び撮影画像のアスペクト比に対応することができる。
【００１８】
一方、上記目的を達成するために、請求項３記載の撮影装置の画像再生方法は、表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設された撮影装置の画像再生方法であって、前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御することを特徴としている。
【００１９】
従って、請求項３に記載の撮影装置の画像再生方法は、撮影装置に対して請求項１記載の発明と同様に作用させることができるので、請求項１記載の発明と同様に、表示領域の空き領域を有効利用することができる。
【００２０】
なお、本発明は、請求項４に記載の発明のように、前記表示手段の表示領域のアスペクト比を１６：９とし、前記撮像手段により取得される画像情報によって示される画像のアスペクト比を４：３又は１６：９とすることが好ましい。これによって、現在主流となりつつある表示領域及び撮影画像のアスペクト比に対応することができる。
【００２１】
なお、本発明における撮影装置には、デジタルカメラの他、ＰＤＡ（Personal Digital Assistant、携帯情報端末）、携帯電話機等の撮影機能及び画像表示機能を有するあらゆる携帯型の電子機器が含まれる。
【発明の効果】
【００２２】
本発明によれば、表示領域のアスペクト比が１：１とは異なる表示手段と、撮像によってアスペクト比が１：１とは異なる画像を示す画像情報を取得する撮像手段と、を備えると共に、前記表示領域の長手方向と前記画像の長手方向とが一致するように前記表示手段及び前記撮像手段が配設されており、前記撮像手段による撮像によって取得された画像情報により示される画像を当該画像の上下方向を撮影装置の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御しているので、表示領域の空き領域を有効利用することができる、という効果が得られる。
【発明を実施するための最良の形態】
【００２３】
以下、図面を参照して、本発明の実施の形態について詳細に説明する。なお、ここでは、本発明をデジタルカメラに適用した場合について説明する。
【００２４】
まず、図１を参照して、本実施の形態に係るデジタルカメラ１０の外観上の構成を説明する。
【００２５】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００２６】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２７】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２８】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００２９】
なお、本実施の形態に係るデジタルカメラ１０では、ＬＣＤ３８として、表示領域のアスペクト比が１６：９とされた所謂ワイドサイズのものが適用されている。
【００３０】
また、デジタルカメラ１０の背面には、十字カーソルボタン５６Ｄと、撮像された被写体像のアスペクト比を１６：９及び４：３の何れか一方に選択的に切り替える際に押圧操作されるワイド切替スイッチ５６Ｅと、が更に備えられている。
【００３１】
なお、十字カーソルボタン５６Ｄは、ＬＣＤ３８の表示領域における上・下・左・右の４方向の移動方向等を示す４つの矢印キーを含んで構成されている。また、ワイド切替スイッチ５６Ｅは、押圧操作する度に、その時点で設定されているアスペクト比を他方のアスペクト比に切り替えるものとされている。
【００３２】
次に、図２を参照して、本実施の形態に係るデジタルカメラ１０の電気系の主要構成を説明する。
【００３３】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３４】
一方、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３５】
なお、デジタル信号処理部３０は、所定容量のラインバッファを内蔵し、入力されたデジタルデータを後述するメモリ４８の所定領域に直接記憶させる制御も行う。
【００３６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３７】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３８】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３９】
なお、本実施の形態のデジタルカメラ１０では、メモリ４８としてＶＲＡＭ（Video RAM）が用いられ、メモリカード５２としてスマートメディア（Smart Media(R)）が用いられている。
【００４０】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００４１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４２】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４３】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４４】
更に、前述のレリーズボタン５６Ａ、電源スイッチ５６Ｂ、モード切替スイッチ５６Ｃ、十字カーソルボタン５６Ｄ、及びワイド切替スイッチ５６Ｅ（同図では、「操作部５６」と総称。）はＣＰＵ４０に接続されており、ＣＰＵ４０は、これらの操作部５６に対する操作状態を常時把握できる。
【００４５】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４６】
なお、本実施の形態に係るデジタルカメラ１０はＥｘｉｆ（Exchangeable Image File Format）規格に対応しており、撮影によって得られたデジタル画像データはＥｘｉｆ規格の電子化ファイル（画像ファイル）としてメモリカード５２に記録される。
【００４７】
このように、本実施の形態に係るデジタルカメラ１０はＥｘｉｆ規格に対応しているため、図３に模式的に示すように、撮影により得られてメモリカード５２に記録される電子化ファイル６０には、スタートコード領域６０Ａ、タグ領域６０Ｂ、サムネイル画像領域６０Ｃ、及び主画像領域６０Ｄが含まれている。
【００４８】
次に、本実施の形態に係るデジタルカメラ１０の撮影時における全体的な動作について簡単に説明する。
【００４９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５１】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００５２】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５４】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２にＥｘｉｆ規格の画像ファイルとして記録する。
【００５５】
なお、デジタルカメラ１０では、撮影によりメモリカード５２に記録された画像ファイルに対して、当該デジタルカメラ１０を被写体方向に直交する方向に立てた状態での撮影（以下、「縦撮り」という。）によって得られたものなのか、縦撮りではなく、デジタルカメラ１０を通常の姿勢とした状態（撮影画像が横長の状態）での撮影（以下、「通常撮り」という。）によって得られたものであるのかを示す情報（以下、「撮影姿勢情報」という。）を、不図示のメニュースイッチを押圧操作することによりＬＣＤ３８に表示されるメニュー画面上の操作によって当該画像ファイルにおけるタグ領域６０Ｂの所定アドレス領域に記憶することができる。
【００５６】
ところで、デジタルカメラ１０では、前述したように、ワイド切替スイッチ５６Ｅを押圧操作することによって、撮像された被写体像のアスペクト比を１６：９及び４：３の何れか一方に選択的に設定することができるが、本実施の形態に係るデジタルカメラ１０では、撮影モード実行時には、設定されたアスペクト比の被写体像がＬＣＤ３８にスルー画像として表示されると共に、レリーズボタン５６Ａが全押し状態とされた際に、設定されたアスペクト比の被写体像を示すデジタル画像データがメモリカード５２に記録される。
【００５７】
ここで、デジタルカメラ１０では、図４に示すように、ＣＣＤ２４として撮像エリアのアスペクト比が４：３のものを適用しており、ユーザにより被写体像のアスペクト比として１６：９が設定された場合には、ＣＣＤ２４による撮像によって得られたデジタル画像データから、当該デジタル画像データにより示される被写体像の上端部側の画像領域と下端部側の画像領域とが均等に削除されるように画素データを削除することによって１６：９のアスペクト比の被写体像を示すものとなるようにしている。
【００５８】
なお、この形態に限らず、例えば、ＣＣＤ２４として撮像エリアのアスペクト比が１６：９のものを適用した場合において、ユーザにより被写体像のアスペクト比として４：３が設定された場合には、ＣＣＤ２４による撮像によって得られたデジタル画像データから、当該デジタル画像データにより示される被写体像の左端部側の画像領域と右端部側の画像領域とが均等に削除されるように画素データを削除することによって４：３のアスペクト比の被写体像を示すものとなるようにすることもできる。
【００５９】
ここで、本実施の形態に係るデジタルカメラ１０は、ＣＣＤ２４における撮像エリアのアスペクト比の如何にかかわらず、ワイド切替スイッチ５６Ｅにより設定されたアスペクト比による被写体像の長手方向がＬＣＤ３８の表示領域の長手方向、すなわち、デジタルカメラ１０の左右方向に一致するものとされている。
【００６０】
ところで、本実施の形態に係るデジタルカメラ１０は、再生モード実行時で、かつメモリカード５２に複数の画像ファイルが記録されている場合、当該複数の画像ファイルによって示される複数の被写体像のＬＣＤ３８による表示を、十字カーソルボタン５６Ｄの操作により、撮影された日時に応じた時系列順で切り替えることができるものとして構成されている。
【００６１】
なお、デジタルカメラ１０では、十字カーソルボタン５６Ｄの右矢印キーを押圧操作する度に、その時点でＬＣＤ３８によって表示されている被写体像の次に撮影された被写体像を表示するように切り替え、左矢印キーを押圧操作する度に、その時点でＬＣＤ３８によって表示されている被写体像の直前に撮影された被写体像を表示するように切り替える。ここで、右矢印キーが押圧操作され、かつその時点でＬＣＤ３８によって表示されている被写体像がメモリカード５２に記録されている最も新しい画像ファイルのものである場合には、最も古い画像ファイルにより示される被写体像を表示するようにし、左矢印キーが押圧操作され、かつその時点でＬＣＤ３８によって表示されている被写体像がメモリカード５２に記録されている最も古い画像ファイルのものである場合には、最も新しい画像ファイルにより示される被写体像を表示するようにしている。
【００６２】
次に、図５を参照して、本実施の形態に係るデジタルカメラ１０の再生モード実行時の作用を説明する。なお、図５は、再生モード実行時にデジタルカメラ１０のＣＰＵ４０によって実行される画像再生処理プログラムの処理の流れを示すフローチャートである。
【００６３】
同図のステップ１００では、メモリカード５２に記録されている画像ファイルのうち、最も古いものから順に２つの画像ファイル（以下、「処理対象画像ファイル」という。）のタグ領域６０Ｂにおける撮影姿勢情報を読み出す。
【００６４】
次のステップ１０２では、読み出した撮影姿勢情報が２つとも‘縦撮り’を示すものであるか否かを判定し、肯定判定となった場合はステップ１０４に移行し、処理対象画像ファイルによって示される２つの被写体像をＬＣＤ３８の表示領域の長手方向に並べて表示するようにＬＣＤインタフェース３６を制御し、その後にステップ１０８に移行する。なお、本ステップ１０４では、当該２つの被写体像の上下方向をデジタルカメラ１０の上下方向に一致させるように各被写体像を９０度回転させると共に、各被写体像が欠けることのない最大サイズで表示できるように各被写体像を縮小又は拡大し、かつ各被写体像の長手方向がＬＣＤ３８の表示領域の短手方向に一致するように表示するように制御する。
【００６５】
図６（Ａ）には、上記２つの被写体像のアスペクト比が共に４：３であった場合の本ステップ１０４の処理によるＬＣＤ３８の表示状態例が示されている。また、図６（Ｂ）には、上記２つの被写体像のアスペクト比が共に１６：９であった場合の本ステップ１０４の処理によるＬＣＤ３８の表示状態例が示されている。更に、図６（Ｃ）には、上記２つの被写体像のアスペクト比が各々４：３及び１６：９であった場合の本ステップ１０４の処理によるＬＣＤ３８の表示状態例が示されている。
【００６６】
これらの図に示されるように、上記２つの被写体像を１つずつＬＣＤ３８により表示した場合に生じる表示領域の半分以上を占める空き領域に次に表示すべき被写体像を表示しているので、当該空き領域を非常に有効に利用することができる。
【００６７】
一方、上記ステップ１０２において否定判定となった場合、すなわち上記２つの被写体像の少なくとも一方が通常撮りによって記録されたものであった場合はステップ１０６に移行し、ＬＣＤ３８への表示順として古い側（先に表示する側）の被写体像をＬＣＤ３８によって表示するようにＬＣＤインタフェース３６を制御し、その後にステップ１０８に移行する。なお、本ステップ１０６では、当該被写体像を回転させることなく、被写体像が欠けることのない最大サイズで表示できるように当該被写体像を縮小又は拡大した状態で表示するように制御する。
【００６８】
図７（Ａ）には、上記被写体像のアスペクト比が１６：９であった場合の本ステップ１０６の処理によるＬＣＤ３８の表示状態例が示されている。また、図７（Ｂ）には、上記被写体像のアスペクト比が４：３であった場合の本ステップ１０６の処理によるＬＣＤ３８の表示状態例が示されている。なお、これらの表示状態は、従来既知の技術による表示状態と同様であり、本発明とは特に関係するものではないので、これ以上の説明は省略する。
【００６９】
ステップ１０８では、十字カーソルボタン５６Ｄの所定キー（ここでは、左矢印キー又は右矢印キー）が押圧操作されたか否かを判定し、肯定判定となった場合は上記ステップ１００に戻り、否定判定となった場合はステップ１１０に移行する。
【００７０】
なお、上記ステップ１００〜ステップ１０８の処理を再び行う場合に上記ステップ１００では、直前に押圧操作された矢印キーの種類に応じてＬＣＤ３８に次及びその次に表示すべき２つの画像ファイルを処理対象画像ファイルとして、当該処理対象画像ファイルのタグ領域６０Ｂにおける撮影姿勢情報を読み出すようにする。
【００７１】
ステップ１１０では、モード切替スイッチ５６Ｃが操作されたか否かを判定することにより、画像再生の終了が指示されたか否かを判定し、否定判定となった場合は上記ステップ１０８に戻り、肯定判定となった場合は本画像再生処理プログラムを終了する。
【００７２】
以上詳細に説明したように、本実施の形態によれば、表示領域のアスペクト比が１：１とは異なる表示手段（ここでは、ＬＣＤ３８）と、撮像によってアスペクト比が１：１とは異なる画像を示す画像情報を取得する撮像手段（ここでは、ＣＣＤ２４）と、を備えると共に、前記表示領域の長手方向と前記画像の長手方向とが一致するように前記表示手段及び前記撮像手段が配設されており、前記撮像手段による撮像によって取得された画像情報により示される画像を当該画像の上下方向を撮影装置（ここでは、デジタルカメラ１０）の上下方向に一致させると共に欠けることなく前記表示手段によって連続的に表示するとき、次に表示する画像を示す画像情報及びその次に表示する画像を示す画像情報の２つの画像情報が、前記撮影装置が被写体方向に直交する方向に９０度又は略９０度回転された状態での撮影（縦撮り）によって前記撮像手段により取得されたものである場合、当該２つの画像情報によって示される２つの画像を、各画像の長手方向が前記表示領域の短手方向に一致し、かつ当該表示領域の長手方向に並べた状態で表示するように前記表示手段を制御しているので、表示領域の空き領域を有効利用することができる。
【００７３】
また、本実施の形態によれば、前記表示手段の表示領域のアスペクト比を１６：９とし、前記撮像手段により取得される画像情報によって示される画像のアスペクト比を４：３又は１６：９としているので、現在主流となりつつある表示領域及び撮影画像のアスペクト比に対応することができる。
【００７４】
なお、本実施の形態では、ＬＣＤ３８として表示領域のアスペクト比が１６：９のものを適用した場合について説明したが、本発明はこれに限定されるものではなく、例えば、表示領域のアスペクト比が４：３のものを始めとして、アスペクト比が１：１でないものであれば如何なるものでも適用することができる。この場合も、本実施の形態と同様の効果を奏することができる。
【００７５】
また、本実施の形態では、撮影姿勢情報をユーザによる手動操作によって記録する場合について説明したが、本発明はこれに限定されるものではなく、例えば、デジタルカメラ１０に当該デジタルカメラ１０の姿勢を検出するためのセンサを設けておき、当該センサによる検出結果に応じて撮影姿勢情報を記録する形態とすることもできる。この場合、本実施の形態に比較してデジタルカメラ１０のコストは上昇するものの、ユーザにとっての利便性を向上させることができる。
【００７６】
また、本実施の形態では、本発明の撮影装置をデジタルカメラに適用した場合について説明したが、本発明はこれに限定されるものではなく、例えば、ＰＤＡ、携帯電話機等、撮影機能を有するあらゆる情報処理装置に本発明は適用できることは言うまでもない。
【００７７】
また、本実施の形態で説明した画像再生処理プログラムの処理の流れ（図５参照。）も一例であり、本発明の主旨を逸脱しない範囲内において適宜変更可能であることは言うまでもない。
【００７８】
更に、本実施の形態で説明したデジタルカメラ１０の構成（図１〜図４参照。）も一例であり、本発明の主旨を逸脱しない範囲内において適宜変更可能であることは言うまでもない。
【図面の簡単な説明】
【００７９】
【図１】実施の形態に係るデジタルカメラの外観を示す外観図である。
【図２】実施の形態に係るデジタルカメラの電気系の主要構成を示すブロック図である。
【図３】実施の形態に係る電子化ファイル（画像ファイル）の構成を示す模式図である。
【図４】実施の形態に係るＣＣＤの撮像エリアのアスペクト比を示すと共に、他のアスペクト比の被写体像の生成手順の説明に供する概略図である。
【図５】実施の形態に係る画像再生処理プログラムの処理の流れを示すフローチャートである。
【図６】実施の形態に係るデジタルカメラにおいてＬＣＤにより２つの被写体像を並べて表示する場合の表示状態例を示す概略図である。
【図７】実施の形態に係るデジタルカメラにおいてＬＣＤにより１つの被写体像のみを表示する場合の表示状態例を示す概略図である。
【符号の説明】
【００８０】
１０    デジタルカメラ
２４    ＣＣＤ（撮像手段）
３８    ＬＣＤ（表示手段）
４０    ＣＰＵ（制御手段）
５６Ｅ    ワイド切替スイッチ
【図１】
2005318278.tif 000003
【図２】
2005318278.tif 000004
【図３】
2005318278.tif 000005
【図４】
2005318278.tif 000006
【図５】
2005318278.tif 000007
【図６】
2005318278.tif 000008
【図７】
2005318278.tif 000009